(57)【要約】【課題】興趣に富んだ遊技を楽しむことができるメダル遊技機を提供する。【解決手段】メダル通過規制部材５２，５３のメダル通過口５２Ａ，５３Ａを通過するメダルＭを検出するメダル通過検出装置９３と、メダル通過検出装置９３による検出結果に基づいて開放するメダル収容固定箱２８とを備えたメダル遊技機１であって、メダル収容固定箱２８は、閉状態においてメダルＭを貯留可能な内部空間２８ｃを有し、前記内部空間２８ｃに貯留するメダルＭを開放によって落下させる箱体からなり、遊技面３Ａの上方に保持されている。このため、メダル収容固定箱２８の開放によってメダルＭが一挙に落下することとなる。これにより、メダル収容固定箱２８からのメダルＭの落下動作として遊技者の射幸心をそそるような落下動作を十分に得ることができる。【選択図】        図４
2006061496.tif 000002
【特許請求の範囲】
【請求項１】
メダル投入側からのメダル投入によってメダルを蓄積可能な遊技面を有する遊技台と、
前記遊技台上に配設され、メダル通過口を有するメダル通過規制部材と、
前記メダル通過規制部材のメダル通過口を通過するメダルを検出するメダル通過検出装置と、
前記メダル通過検出装置による検出結果に基づいて開放するメダル収容箱とを備えたメダル遊技機であって、
前記メダル収容箱は、閉状態においてメダルを貯留可能な内部空間を有し、前記内部空間に貯留するメダルを開放によって落下させる箱体からなり、前記遊技面の上方に保持されていることを特徴とするメダル遊技機。
【請求項２】
前記メダル収容箱は、メダルが滑落可能な凸状の底面台及び前記底面台に対して相対的に移動可能な有頭箱状の蓋体を有する請求項１に記載のメダル遊技機。
【請求項３】
前記メダル収容箱の少なくとも一部は透明部材によって形成されている請求項１又は２に記載のメダル遊技機。
【請求項４】
前記蓋体は、前記底面台に対して昇降する昇降体からなる請求項２に記載のメダル遊技機。
【請求項５】
前記底面台は、前記蓋体の上面部に近接するような頂部を有する円錐形状の曲面台からなる請求項２から４のいずれか１項に記載のメダル遊技機。
【請求項６】
前記底面台の下方には、前記メダル収容箱から落下するメダルを受ける金属製のメダル受部材をさらに備えた請求項２から５のいずれか１項に記載のメダル遊技機。
【請求項７】
前記底面台の下方端部には、複数の反射鏡を組み合わせてなる半球状の回転反射体が取り付けられ、
前記蓋体は、前記回転反射体の形状に適合するような半球状の箱体によって形成されている請求項２から６のいずれか１項に記載のメダル遊技機。
【請求項８】
前記回転反射体に照明光を照射する照明装置をさらに備えた請求項７に記載のメダル遊技機。
【発明の詳細な説明】
【技術分野】
【０００１】
本発明は、例えば遊技者によってメダル通過口に投入されたメダルを検出し、この検出結果に基づいて遊技面上に供給したメダルの一部を遊技者に払い戻すメダル遊技機に関する。
【背景技術】
【０００２】
従来、メダルを用いる遊技機として、メダル落としゲーム機あるいはプッシャーゲーム機と呼ばれるメダル遊技機が知られている。これは、遊技面上をメダル押出装置が前後方向に（遊技者側と反遊技者側との間を）往復移動するように構成されている遊技機である。
【０００３】
このようなメダル遊技機においては、遊技者が遊技面上にメダルを投入（投降）すると、この投降されたメダルが遊技面上に蓄積される。そして、メダル押出装置が往復移動する間に遊技面上のメダルがメダル投入側に押し出されて遊技面上から落下し、払い戻しシュートを経て遊技者に払い戻される。
【０００４】
しかし、この種のメダル遊技機は、メダル押出装置の動作が前後方向の動作のみであるため、その動作が単調であり、遊技性を欠くこととなっていた。
【０００５】
そこで、遊技性を高めるために、メダル通過口を有するメダル通過規制部材と、このメダル通過規制部材のメダル通過口を通過するメダルを検出するメダル通過検出装置と、このメダル通過検出装置による検出結果に基づいて傾動するメダル収容箱とを備えたメダル遊技機が提案されている（例えば、特許文献１参照。）。
【０００６】
このようなメダル遊技機の遊技は、遊技者がメダル通過規制部材のメダル通過口を通過するようにメダルを遊技面上に投入することにより行われる。ここで、投入したメダルがメダル通過規制部材のメダル通過口を通過すると、メダル通過検出装置によって検出され、この検出結果によって遊技者に有利な状態が発生する場合がある。この場合、遊技者に有利な状態が発生すると、メダル収容箱が傾動し、メダル収容箱内のメダルが落下して遊技面上に供給され、その一部が遊技者に払い戻されることが可能となる。
【特許文献１】特許第２８８６８３４号公報（[００５９]、図７）
【発明の開示】
【発明が解決しようとする課題】
【０００７】
しかし、特許文献１のメダル遊技機によると、メダル収容箱の傾動によってメダルが落下する構造であるため、メダル収容箱からのメダルの落下が徐々に行われる。このため、メダル収容箱からのメダルの落下動作として遊技者の射幸心をそそるようなメダル落下動作が十分に得られず、興趣に富んだ遊技を楽しむことができないという問題があった。
【０００８】
従って、本発明の目的は、メダル収容箱が閉状態においてメダルを収容し、開放によってメダルを落下させる箱体からなるというきわめて簡単な構成により、メダル収容箱からのメダルの落下動作として遊技者の射幸心をそそるような落下動作を十分に得ることができ、もって興趣に飛んだ遊技を楽しむことができるメダル遊技機を提供することにある。
【課題を解決するための手段】
【０００９】
本発明は、上記した目的を達成するため、メダル投入側からのメダル投入によってメダルを蓄積可能な遊技面を有する遊技台と、前記遊技台上に配設され、メダル通過口を有するメダル通過規制部材と、前記メダル通過規制部材のメダル通過口を通過するメダルを検出するメダル通過検出装置と、前記メダル通過検出装置による検出結果に基づいて開放するメダル収容箱とを備えたメダル遊技機であって、前記メダル収容箱は、閉状態においてメダルを貯留可能な内部空間を有し、前記内部空間に貯留するメダルを開放によって落下させる箱体からなり、前記遊技面の上方に保持されていることを特徴とするメダル遊技機を提供する。
【発明の効果】
【００１０】
本発明によれば、メダル収容箱からのメダルの落下動作として遊技者の射幸心をそそるような落下動作を十分に得ることができ、興趣に富んだ遊技を楽しむことができる。
【発明を実施するための最良の形態】
【００１１】
以下、本発明の実施の形態につき、図面に基づいて説明する。
〔メダル遊技機の全体構成〕
図１は、本発明の実施の形態に係るメダル遊技機を示す全体図である。図２は、本発明の実施の形態に係るメダル遊技機を示す正面図である。図３は、本発明の実施の形態に係るメダル遊技機を示す部分側面図である。図１〜３において、符号１で示すメダル遊技機は、本体２及びゲーム実施機構３，３，…によって大略構成されている。
【００１２】
（本体２の構成）
本体２は、図１に示すように、基台部２Ａ及び本体部２Ｂを有している。基台部２Ａと本体部２Ｂとの間には、金属製のメダルＭを蓄積可能な遊技面３Ａを有する遊技台３が配設されている。遊技台３には、周方向に並列する６つのフィールド部３ａ，３ａ，…が設けられている。各フィールド部３ａ，３ａ，…上には、前後方向（メダル投入側面及び反メダル投入側面）に開口する第１貫通窓１００Ａと、この貫通窓１００Ａの両側方に位置する２つの第２貫通窓（図示せず）と、これら各第２貫通窓の上方で遊技面３Ａ上にメダルＭを供給するためのメダル供給口１００Ｂ，１００Ｃとを有し、メダル投入側と反メダル投入側とを画成するような仕切部材１００が立設されている。フィールド部３ａ，３ａ，…の前端部には、メダルＭを払い戻すためのメダル払戻孔３Ｂ（図８に示す）がそれぞれ設けられている。フィールド部３ａ，３ａ，…の両側部には、メダルＭを回収するためのメダル回収孔３Ｃ，３Ｄ（図８に示す）がそれぞれ設けられている。
【００１３】
基台部２Ａは、略円環状の基部材４と、基部材４に対向する底面板５と、この底面板５と基部材４との間に周方向に所定の間隔をもって並列する６本の脚部材６，６，…と、これら脚部材６，６，…のうち互いに隣り合う２つの脚部材６，６間に嵌め込まれた蓋部材７，７，…とを有し、全体が例えば鋼板等の金属材料からなる略六角形箱によって形成されている。そして、メダル遊技機１の座部材として機能し、本体部２Ｂ及びゲーム実施機構３，３，…を保持するように構成されている。基台部２Ａには、メダル払戻孔３Ｂに連通し、遊技者にメダルＭを払い戻すためのメダル払戻口（受皿）８が外部に露呈して配設されている。基台部２Ａの上方端面縁部には、周方向に所定の間隔をもって並列する６本の支柱９，９，…が立設されている。基台部２Ａ内には、メダル回収孔３Ｃ，３Ｄに回収シュート１０１を介してメダル（図示せず）を回収するメダル回収箱１０２が配設されている。
【００１４】
一方、本体部２Ｂは、６本の支柱９，９，…のうち互いに隣り合う２つの支柱９，９間にそれぞれ嵌め込まれたアクリル製の透明板１０，１０，…と、これら透明板１０，１０，…の上方端部に配設された貫通孔１１Ａ付きの金属製の天井板１１とを有し、全体が略六角形箱によって形成されている。本体部２Ｂ内には、フィールド部３ａ，３ａ，…に対応し、周方向にアクリル製の透明板（図示せず）によって６分割されたフィールド空間２ｂ，２ｂ，…が形成されている。本体部２Ｂには、各フィールド空間２ｂ，２ｂ，…（遊技面３Ａ）にメダルＭを投入可能なメダルシュート１２Ａ，１２Ａ，…を有する６対のメダル投入装置１２，１２，…が配設されている。各対のメダル投入装置１２，１２，…のメダルシュート１２Ａ，１２Ａ，…は、水平面及び鉛直面内において所定の角度範囲内で回動し得るように構成されている。
【００１５】
（ゲーム実施機構３，３，…の構成）
図４は、本発明の実施の形態に係るメダル遊技機のメダル供給装置を説明するために示す正面図である。図５は、本発明の実施の形態に係るメダル遊技機のメダル供給装置を説明するために示す平面図である。図６は、本発明の実施の形態に係るメダル遊技機のメダル供給装置の固定箱開閉機構を説明するために示す斜視図である。図７は、本発明の実施の形態に係るメダル遊技機の回転反射体の回転駆動機構を説明するために示す斜視図である。図８は、本発明の実施の形態に係るメダル遊技機のゲーム実行部を説明するために示す平面図である。図９は、本発明の実施の形態に係るメダル遊技機のメダル通過規制部材の回転駆動機構を説明するために示す平面図である。図１０は、本発明の実施の形態に係るメダル遊技機のメダル通過規制部材の回転駆動機構を説明するために示す断面図である。図１１は、本発明の実施の形態に係るメダル遊技機のホルダ駆動機構を説明するために示す平面図である。図１２は、本発明の実施の形態に係るメダル遊技機の制御回路を説明するために示すブロック図である。図１３（ａ）から（ｃ）は、本発明の実施の形態に係るメダル遊技機のメダル投入装置を示す説明図である。
【００１６】
ゲーム実施機構３，３，…は各フィールド空間２ｂ，２ｂ，…にそれぞれ配置されている。ゲーム実施機構３，３，…は、図１及び図２に示すように、各フィールド空間２ｂ，２ｂ，…の遊技面３ＡにメダルＭを供給するためのメダル供給部２０と、メダルゲームを実行するためのゲーム実行部（ステーション）５０，５０，…と、各フィールド空間２ｂ，２ｂ，…のメダルＭを回収するためのメダル回収部８０，８０，…と、メダル供給部２０・ゲーム実行部５０，５０，…及びメダル回収部８０，８０，…を駆動制御するコントロール部９０，９０，…（図１２に示す）とから構成されている。なお、ゲーム実行部５０，５０，…とメダル回収部８０，８０，…とコントロール部９０，９０，…とはそれぞれ略同一に構成されているため、ゲーム実行部５０とメダル回収部８０とコントロール部９０との構成についてのみそれぞれ説明する。
【００１７】
＜メダル供給部２０の構成＞
メダル供給部２０は、メダル回収箱１０２内のメダルＭを汲み上げるための回転汲上円盤（図示せず）付きのホッパ２１，２１，…と、コントロール部９０によって駆動する第１メダル供給装置２２・第２メダル供給装置２３，２３，…と、各ゲーム実行部５０，５０，…のメダル供給樋３０，３０，…を変更するメダル供給路変更装置２５とを本体２の上部に設けられる装置収納部２００に収納して設けられている。
【００１８】
ホッパ２１，２１，…は同一に構成されているため、一のホッパ２１の構成についてのみ説明すると、ホッパ２１は、図２に示すように、第１汲上樋２６及び第２汲上樋２７に連通し、本体２内に配設されている。そして、回転汲上円盤の回転によって第１汲上樋２６及び第２汲上樋２７にメダルＭを押し込むように構成されている。第１汲上樋２６は、仕切部材１００のメダル供給口１００Ｂ，１００Ｃに誘導パイプ（図示せず）を介して連通し、脚部材６及び本体部２Ｂ内に配設されている。第２汲上樋２７は脚部材６及び支柱９内に埋設されている。
【００１９】
第１メダル供給装置２２は、図４及び図５に示すように、メダル収容固定箱２８及び固定箱開閉機構２９を有し、天井板１１上の装置収納箱（図１及び図２に示す）３０内に配設されている。メダル収容固定箱２８は、図４に示すように、メダルＭが滑落可能な凸状の底面台２８Ａ及び底面台２８Ａに対して昇降する有頭箱（半球）状の蓋体２８Ｂからなり、遊技面３Ａ（図２に示す）の上方に保持されている。そして、コントロール部９０の指令による固定箱開閉機構２９の駆動によって開閉するように構成されている。これにより、メダル収容固定箱２８が閉鎖することによってその内部にメダルＭを収容可能な状態となり、一方開放することによってメダル収容固定箱２８に収容されたメダルＭが落下することとなる。
【００２０】
底面台２８Ａは、図４に示すように、截頭円錐形状の第１底面部２８ａ及び第１底面部２８ａに連接する円錐形状の第２底面部２８ｂによって形成されている。底面台２８Ａの下方には、図１及び図２に示すように、仕切部材１００の反メダル投入側に位置する略漏斗状のメダル受板３１が配設されている。メダル受板３１は、平面略台形状の６枚の受板エレメント３１Ａ，３１Ａ，…を周方向に組み合わせてなり、全体が金属材料によって形成されている。そして、メダル収容固定箱２８から落下するメダルＭを受けて落下させるように構成されている。
【００２１】
蓋体２８Ｂは、図４に示すように、メダル収容固定箱２８の閉状態においてメダルＭを収容（貯留）可能な内部空間２８ｃを有し、この内部空間２８ｃに貯留するメダルＭをメダル収容固定箱２８の開放によって落下させる箱体からなり、固定箱開閉機構２９にメダル誘導用の円筒３２を介して連結されている。そして、全体がアクリル製の透明部材によって形成されている。円筒３２は、第２汲上樋２７に誘導パイプ３３を介して連通し、天井板１１の貫通孔１１Ａに軸受７０を介して昇降自在に挿通されている。誘導パイプ３３のメダル供給側には、第２汲上樋２７からのメダルＭを円筒３２に向かって送り出すと同時にパルス信号を出力するメダルカウンタ３４が配設されている。
【００２２】
固定箱開閉機構２９は、図４〜６に示すように、底面台２８Ａを昇降するための駆動モータ２９Ａと、この駆動モータ２９Ａの駆動によって回転するクランクアーム２９Ｂと、このクランクアーム２９Ｂの回転によって揺動（進退）する伝達リンク２９Ｃと、この伝達リンク２９Ｃの進退によって回動する保持リンク２９Ｄとを有し、天井板１１に第１ブラケット３５及び第２ブラケット３６を介して保持されている。そして、駆動モータ２９Ａの駆動によるクランクアーム２９Ｂの回転によって伝達リンク２９Ｃを進退させ、これに伴い保持リンク２９Ｄを回動させて円筒３２を介して蓋体２８Ｂを昇降するように構成されている。これにより、蓋体２８Ｂが上昇すると、メダル収容固定箱２８が開放され、蓋体２８Ｂが下降すると、メダル収容固定箱２８が閉塞される。
【００２３】
駆動モータ２９Ａは、メダル投入側に突出するモータ軸２９ａを有し、第１ブラケット３５に取り付けられている。クランクアーム２９Ｂは、長孔からなるピン挿通孔２９ｂを有し、モータ軸２９ａに取り付けられている。伝達リンク２９Ｃは、ピン挿通孔２９ｂを挿通するピン２９ｃを有し、クランクアーム２９Ｂに揺動自在に連結されている。保持リンク２９Ｄは、円筒３２を保持する二股リンクからなり、伝達リンク２９Ｃに連結ピン３７を介して揺動自在に連結され、かつ第２ブラケット３６に枢支ピン３８を介して枢支されている。保持リンク２９Ｄの回動２位置は、センサ３９，４０によって検出される。
【００２４】
第２メダル供給装置２３，２３，…は同一に構成されているため、一の第２メダル供給装置２３の構成についてのみ説明すると、第２メダル供給装置２３は、図１及び図２に示すように、メダル収容移動箱４１，４２及び移動箱開閉・移動機構（図示せず）を有し、フィールド空間２ｂに配設されている。メダル収容移動箱４１，４２は、仕切部材１００の第２貫通窓（図示せず）を挿通させてそのメダル投入側及び反メダル投入側に出没する蒸気機関車等の玩具からなり、フィールド部３ａの両側部に配設されている。そして、コントロール部９０（図１２に示す）からの指令による移動箱開閉機構の駆動によって開閉するように構成されている。これにより、メダル収容移動箱４１，４２がフィールド空間２ｂ（仕切部材１００）に対し、移動箱を開放することによりメダルＭを遊技面３Ａ上に供給する。一方、移動箱を閉鎖することにより内部にメダル回収部８０から誘導パイプ（図示せず）を介してメダルＭを収容可能な状態となる。
【００２５】
メダル供給路変更装置２５は、図２及び図３に示すように、共通筒４３及び駆動機構（図示せず）を有し、仕切部材１００の反メダル投入側に配設されている。共通筒４３は、メダル受板３１の下方に回転自在に配設されている、そして、メダル受板３１に常時連通し、メダルＭを貯留するように構成されている。また、コントロール部９０（図１２に示す）の指令による駆動機構の駆動によって回転するように構成されている。これにより、各フィールド部３ａのメダル供給口１００Ｂ，１００Ｃにメダル供給樋３０（誘導樋４４〜４６）を介して連通することとなる。
【００２６】
＜ゲーム実行部５０の構成＞
ゲーム実行部５０は、図１〜３に示すように、往復台からなるホルダ５１と、移動によってメダル通過口５２Ａ，５３Ａ（図８に示す）におけるメダルＭの通過を規制するメダル通過規制部材５２，５３と、画像を表示するディスプレイ５４，５５と、ディスコミュージック等の楽曲を流すジュークボックス（図示せず）と、フィールド空間２ｂを装飾照明するための回転反射体５６とを備えている。
【００２７】
ホルダ５１は、図１０に示すように、遊技面３Ａ上に滑車５７を介して転動自在に配設され、かつ貫通窓１００Ａを挿通して仕切部材１００の反メダル投入側に出没可能に収容されている。そして、ホルダ駆動機構５８（図１１に示す）によって仕切部材１００のメダル投入側（フィールド部３ａの前方端部）と反メダル投入側（フィールド部３ａの後方端部）との間を進退し、遊技面３Ａ上のメダルＭをメダル投入側に押し出すように構成されている。ホルダ５１の後方端部（仕切部材１００の反メダル投入側）には、左右方向に延在する長孔５１Ａ（図１１に示す）が設けられている。
【００２８】
ホルダ駆動機構５８は、ホルダ５１をフィールド部３ａの前後方向に進退させるための駆動モータ５８Ａと、この駆動モータ５８Ａの駆動によって回転するクランクアーム５８Ｂとを有し、ホルダ５１の下方に配設されている。そして、駆動モータ５８Ａの駆動によるクランクアーム５８Ｂの回転によってホルダ５１をフィールド部３ａの前後方向に進退させるように構成されている。これにより、ホルダ５１がメダル投入側に進行すると、メダル通過規制部材５２，５３が仕切部材１００のメダル投入側に露出し、一方ホルダ５１が反メダル投入側に退避すると、メダル通過規制部材５２，５３が仕切部材１００の反メダル投入側に埋没することとなる。
【００２９】
駆動モータ５８Ａは、メダル投入側に突出するモータ軸５８ａを有し、遊技台３に取り付けられている。クランクアーム５８Ｂは、長孔５１Ａに挿通するピン５８ｂを有し、ホルダ５１の下方に配設され、かつモータ軸５８ａに連結されている。
【００３０】
一方のメダル通過規制部材５２は、図８及び図９に示すように、ホルダ５１上の左右方向における一方側側部に回転自在に保持されている。メダル通過規制部材５２には、放射方向に延在する複数（１２個）のメダル通過口５２Ａ，５２Ａ，…が設けられている。メダル通過規制部材５２の下方端面における回転中心部には、図９に示すように回転駆動機構５９に連結する従動側歯車５２Ｂが配設されている。他方のメダル通過規制部材５３は、図８及び図９に示すように、メダル通過規制部材５２の側方に配設され、かつホルダ５１上の左右方向における他方側側部に回転自在に保持されている。メダル通過規制部材５３には、放射方向に延在する複数（１２個）のメダル通過口５３Ａ，５３Ａ，…が設けられている。メダル通過規制部材５３の下方端面における回転中心部には、図９に示すように回転駆動機構５９に連結する従動側歯車５３Ｂが配設されている。メダル通過規制部材５２，５３は、回転駆動機構５９によって遊技面３Ａ内で回転するように構成されている。
【００３１】
回転駆動機構５９は、図９に示すように、メダル通過規制部材５２，５３を回転させるための駆動モータ６０と、この駆動モータ６０の駆動によって回転する駆動側歯車６１と、この駆動側歯車６１の駆動によって回転する共通歯車６２と、この共通歯車６２の回転によって回転する伝達歯車６３・伝達歯車列６４とを有し、ホルダ５１の下方に配設されている。そして、コントロール部９０（図１２に示す）によって駆動制御されるように構成されている。これにより、メダル通過規制部材５２，５３の回転速度を所定の速度に制御したり、調整可能に制御したりすることが可能となる。また、メダル通過規制部材５２，５３を正転・逆転させたり、断続的に回転させたりすることが可能となる。
【００３２】
駆動モータ６０は、上方に突出するモータ軸６０Ａを有し、ホルダ５１内に配設されている。駆動側歯車６１は、共通歯車６２（大歯車６２Ａ）に噛合し、モータ軸６０Ａに固着されている。共通歯車６２は、ホルダ５１内に保持され、駆動側歯車６１に噛合する大歯車６２Ａ及び伝達歯車６３に噛合する小歯車６２Ｂからなる段付き歯車によって形成されている。伝達歯車６３は、共通歯車６２の小歯車６２Ｂ及び従動側歯車５２Ｂに噛合し、ホルダ５１内に保持されている。伝達歯車列６４は、２つの伝達歯車６４Ａ，６４Ｂからなり、ホルダ５１内に保持されている。伝達歯車６４Ａは、共通歯車６２の大歯車６２Ａに噛合する大歯車６４ａ及び伝達歯車６４Ｂに噛合する小歯車６４ｂからなる段付き歯車によって形成されている。伝達歯車６４Ｂは、伝達歯車６４Ａの小歯車６４ｂ及び従動側歯車５３Ｂに噛合し、伝達歯車６３に並設されている。
【００３３】
一方のディスプレイ５４は、ビデオ表示領域又はリール表示領域となる表示画面を有する液晶表示装置からなり、ホルダ５１の上方に配設され、かつ仕切部材１００に保持されている。他方のディスプレイ５５は、ビデオ表示領域となる表示画面を有する液晶表示装置からなり、ディスプレイ５４の上方に配設され、かつ仕切部材１００に保持されている。ディスプレイ５４，５５はコントロール部９０（図１２に示す）によって駆動制御される。
【００３４】
回転反射体５６は、蓋体２８Ｂの形状に適合し、かつ複数の反射鏡を組み合わせてなる半球状の中空回転反射体からなり、底面台２８Ａの下方端部に取り付けられている。そして、複数の照明装置６５，６５，…（図１及び図２に示す）から照明光を受け、回転駆動機構６６（図２及び図４・図５・図７に示す）によって回転するように構成されている。
【００３５】
照明装置６５，６５，…は、メダル受板３１の周囲に所定の間隔をもって並列し、回転反射体５６の下方に配設されている。
【００３６】
回転駆動機構６６は、図４及び図５・図７に示すように、回転反射体５６を回転駆動するための駆動モータ６６Ａと、この駆動モータ６６Ａの駆動によって回転する駆動側プーリ６６Ｂと、この駆動側プーリ６６Ｂに対応する従動側プーリ６６Ｃと、この従動側プーリ６６Ｃに駆動側プーリ６６Ｂからの回転力を伝達する伝達ベルト６６Ｄとを有し、天井板１１に第３ブラケット６７を介して保持されている。
【００３７】
駆動モータ６６Ａは、上方に突出するモータ軸６６ａを有し、第３ブラケット６７に取り付けられている。駆動側プーリ６６Ｂは、第３ブラケット６７に回転自在に配設され、かつモータ軸６６ａに取り付けられている。従動側プーリ６６Ｃは、駆動側プーリ６６Ｂに並列し、底面台２８Ａに回転シャフト６８を介して連結され、かつ第３ブラケット６７に回転自在に配設されている。伝達ベルト６６Ｄは、ゴム製の無端ベルトからなり、駆動側プーリ６６Ｂと従動側プーリ６６Ｃとに掛け渡されている。回転シャフト６６は、第３ブラケット６７に軸受６９を介して回転自在に挿通されている。
【００３８】
＜メダル回収部８０の構成＞
メダル回収部８０は、図２及び図３に示すように、ホッパ２１の近傍に位置するメダル回収箱１０２を備えている。メダル回収箱１０２は、基台部２Ａ内に配設され、メダル通過規制部材５２のメダル通過口５２Ａ，５２Ａ，…及びメダル通過規制部材５３のメダル通過口５３Ａ，５３Ａ，…を通過したメダルＭ及びメダル回収孔３Ｃ，３Ｄに落下したメダルＭを回収するように構成されている。
【００３９】
＜コントロール部９０の構成＞
コントロール部９０は、図１２に示すように、メダル供給部２０及びゲーム実行部５０・メダル回収部８０を駆動制御するコントローラ９１と、各種データ等を格納するメモリ９２とを備え、基台部２Ａ（図２に示す）内に配設されている。
【００４０】
コントローラ９１は、制御ユニットからなり、メダル通過検出装置９３に接続されている。メダル通過検出装置９３は、メダル通過規制部材５２のメダル通過口５２Ａ，…及びメダル通過規制部材５３のメダル通過口５３Ａ，５３Ａ，…を通過したメダルＭを検出するように構成されている。
【００４１】
メモリ９２は、コントローラ９１が実行する抽選プログラム等の各種プログラムや各種データベースを格納するＲＯＭ９２Ａと、コントローラ９１が実行するプログラムで用いる各種データを一時的に格納するＲＡＭ９２Ｂとを有し、コントローラ９１に接続されている。
【００４２】
＜メダル投入装置１２の構成＞
メダル投入装置１２は、図１３（ａ）から（ｃ）に示すように、メダルＭを転動させてフィールド部３ａに投入するメダル通路１２０を有するメダルシュート１２Ａと、本体２の外側に設けられてメダルＭを投入するメダル投入口１２４を有するメダル投入部１２Ｂと、メダル投入部１２Ｂを有するメダルシュート１２Ａをフィールド部３ａに対して回動自在に指示する支持部材１２Ｃとを有する。
【００４３】
メダルシュート１２Ａは、ステンレス等の複数の板状の金属部材を組み合わせることによって断面内にメダル通路１２０を形成している。なお、メダルシュート１２ＡにはメダルＭの通過を検出する図示しないメダル通過検出層を取り付けるためのメダルカウンタ取付部１２１が設けられている。
【００４４】
メダル投入部１２Ｂは、樹脂材料で形成される膨出形状部１２２と背面部１２３とをビス（図示せず）によって組み付けるとともにメダルシュート１２Ａに取り付けられている。膨出形状部１２２は、図１３（ｂ）に示すようにメダルＭの厚みよりサイズを大に開口されたメダル投入口１２４を有し、その内側にはメダル投入部１２Ｂ内のメダル通路１２０に円滑にメダルＭを導くように傾斜面１２５が一体的に形成されている。なお、メダルＭの投入や、組み立てにおいて支障がなければ、膨出形状部１２２と傾斜面１２５とが別部材で形成されていても良い。
【００４５】
図１３（ｃ）は、メダル投入装置１２から投入されるメダルＭを示す説明図である。メダル投入口１２４から投入されたメダルＭは、メダル投入部１２Ｂからメダルシュート１２Ａのメダル通路１２０に誘導されて転動することによりフィールド部に投入される。メダルＭの投入は膨出形状部１２２によって開口部分を大にされたメダル投入口１２４により、複数のメダルＭを連続的かつ容易に投入することを可能にする。このことによりフィールド部にメダルＭが連続的に投入される。
【００４６】
〔メダル遊技機１の動作〕
遊技者のメダル投入によってメダルＭがメダル通過規制部材５２のメダル通過口５２Ａ，５２Ａ，…又はメダル通過規制部材５３のメダル通過口５３Ａ，５３Ａ，…を通過すると、メダル通過検出装置９３から検出信号がコントローラ９１に出力される。この検出信号を受けたコントローラ９１がＲＯＭ９２Ａ内の抽選プログラムを実行する。次に、コントローラ９１が抽選用の乱数を生成し、この抽選用の乱数に基づき、それぞれの当選役としての「当たり（大当たり，中当たり，小当たり）」とこの「当たり」の発生確率との対応関係を記述した当選確率テーブルに照らして「当たり」を決定する。この抽選においては、「当たり」が決定せず、「当たり」の外れる「はずれ」が決定することもある。そして、コントローラ９１がその決定情報に基づいてディスプレイ５４に画像表示指令信号を出力する。
【００４７】
また、コントローラ９１が「当たり（大当たり，中当たり，小当たり）」を決定すると、その「当たり」に対応する制御信号をメダル供給部２０やゲーム実行部５０に出力する。
【００４８】
例えば、コントローラ９１が「大当たり」を決定すると、コントローラ９１から第１メダル供給装置２２及びメダル供給路変更装置２５に制御信号が出力される。この場合、第１メダル供給装置２２がコントローラ９１から制御信号を受けると、固定箱開閉機構２９の駆動による蓋体２８Ｂの上昇によってメダル収容固定箱２８が開放し、これに伴いメダル収容固定箱２８内のメダルＭがメダル受板３１に落下し、このメダル受板３１から共通筒４３内に収容される。また、メダル供給路変更装置２５がコントローラ９１から制御信号を受けると、駆動機構（図示せず）の駆動による共通筒４３の回転によって所定のステーションにおけるメダル供給樋３０（誘導樋４４〜４６）に連通する。このため、共通筒４３内のメダルＭが仕切部材１００にメダル供給樋３０を経てメダル供給口１００Ｂ，１００Ｃから遊技面３Ａに供給される。
【００４９】
また、コントローラ９１が「中当たり」を決定すると、コントローラ９１から第２メダル供給装置２３及びホルダ駆動機構５８・回転駆動機構５９に制御信号が出力される。この場合、第２メダル供給装置２３がコントローラ９１から制御信号を受けると、移動箱開閉機構（図示せず）の駆動によってメダル収容移動箱４１，４２が開放し、これに伴いメダル収容移動箱４１，４２内のメダルＭが遊技面３Ａ上に供給される。同時に、ホルダ駆動機構５８及び回転駆動機構５９がコントローラ９１から制御信号を受けると、ホルダ駆動機構５８の駆動によってホルダ５１が仕切部材１００のメダル投入側に進行し、この進行位置で停止するとともに、回転駆動機構５９の停止によってメダル通過規制部材５２，５３が回転停止する。このため、メダル通過規制部材５２のメダル通過口５２ａ，５２ａ，…及びメダル通過規制部材５３のメダル通過口５３ａ，５３ａ，…に対して遊技者はメダルＭを投入し易くなる。
【００５０】
そして、コントローラ９１が「小当たり」を決定すると、コントローラ９１から第２メダル供給装置２３に制御信号が出力される。この場合、第２メダル供給装置２３がコントローラ９１から制御信号を受けると、「中当たり」の場合と同様に移動箱開閉機構（図示せず）の駆動によってメダル収容移動箱４１，４２が開放し、これに伴いメダル収容移動箱４１，４２内のメダルＭが遊技面３Ａ上に供給される。
【００５１】
なお、遊技者によるメダルＭの獲得は、遊技面３Ａ上のメダルＭがホルダ５１によってメダル払戻孔３Ｂに押し出された後、このメダル払戻孔３Ｂから下方に落下してメダル払戻口８に払い戻されることにより達成される。
【００５２】
一方、画像表示指令信号を受けたディスプレイ５４は、駆動によってその表示画面を３つのリール表示領域とし、これらリール表示領域に画像を所定の時間にわたり連続して移動させ後に停止画像を表示する。この場合、コントローラ９１によって「当たり」が決定していると、その画像表示指令に基づき「当たり」に係る組み合わせの図柄がディスプレイ５４の表示画面に表示される。また、コントローラ９１によって「はずれ」が決定している場合には、その画像表示指令に基づき「当たり」に対応しない組み合わせの図柄がディスプレイ５４の表示画面に表示される。これにより、遊技者はディスプレイ５４の表示画面を見て、メダルＭがメダル通過規制部材５２，５２，…のメダル通過口５２Ａ，５２Ａ，…あるいはメダル通過規制部材５３，５３，のメダル通過口５３Ａ，５３Ａ，…を通過したことによる抽選結果を知ることができる。
【００５３】
（実施の形態の効果）
以上説明した実施の形態によれば、次に示す効果が得られる。
（１）メダル収容固定箱２８の開放によってメダルＭが一挙に落下することとなるため、メダル収容固定箱２８からのメダルＭの落下動作として遊技者の射幸心をそそるような落下動作を十分に得ることができ、興趣に富んだ遊技を楽しむことができる。
【００５４】
（２）蓋体２８Ｂが透明部材であるため、メダル収容固定箱２８内のメダルＭが視認され、遊技者の視覚に訴える演出効果を高めることができる。
【００５５】
（３）メダル受板３１へのメダルＭの落下時に衝撃音（金属音）が発生することになるため、遊技者の聴覚に訴える演出効果を高めることができる。
【００５６】
（４）メダル収容固定箱２８及び回転反射体５６によって球体を形成することができるため、メダル収容固定箱２８をミラーボール（球状の回転反射体）の一部として視認され、遊技者の視覚に訴える演出効果を高めることができる。
【００５７】
（５）メダル収容固定箱２８からのメダルＭの落下時に照明装置６５，６５，…の照明光が回転反射体５６のみならずメダルＭによって反射されるため、遊技者の視覚に訴える演出効果を高めることができる。
【００５８】
なお、本実施の形態においては、截頭円錐形状の第１底面部２８ａ及び第１底面部２８ａに連接する円錐形状の第２底面部２８ｂによって底面台２８Ａが形成されている場合について説明したが、本発明はこれに限定されず、蓋体２８Ｂの上面部に近接するような頂部を有する円錐形状の曲面台によって底面台２８Ａを形成してもよい。この場合、メダル収容固定箱２８の底面台２８Ａに急勾配のメダル滑落面が得られるため、メダル滑落面上におけるメダルＭの落下速度を高めることができる。
【００５９】
また、本実施形態においては、蓋体２８Ｂが底面台２８Ａに対して昇降する場合について説明したが、本発明はこれに限定されず、蓋体２８Ｂに対して底面台２８Ａが昇降するものであってもよく、さらには底面台２８Ａが回動可能な構造や蓋体２８Ｂ又はメダル収容箱全体を分割形成して開閉可能な構造としても、実施の形態と同様の効果を得ることができる。すなわち要するに、本発明のメダル収容箱は、閉状態においてメダルＭを収容し、開放によってメダルＭを落下させる箱体からなるものであればよい。
【図面の簡単な説明】
【００６０】
【図１】本発明の実施の形態に係るメダル遊技機を示す全体図。
【図２】本発明の実施の形態に係るメダル遊技機を示す正面図。
【図３】本発明の実施の形態に係るメダル遊技機を示す部分側面図。
【図４】本発明の実施の形態に係るメダル遊技機のメダル供給装置を説明するために示す正面図。
【図５】本発明の実施の形態に係るメダル遊技機のメダル供給装置を説明するために示す平面図。
【図６】本発明の実施の形態に係るメダル遊技機のメダル供給装置の固定箱開閉機構を説明するために示す斜視図。
【図７】本発明の実施の形態に係るメダル遊技機の回転反射体の回転駆動機構を説明するために示す斜視図。
【図８】本発明の実施の形態に係るメダル遊技機のゲーム実行部を説明するために示す平面図。
【図９】本発明の実施の形態に係るメダル遊技機のメダル通過規制部材の回転駆動機構を説明するために示す平面図。
【図１０】本発明の実施の形態に係るメダル遊技機のメダル通過規制部材の回転駆動機構を説明するために示す断面図。
【図１１】本発明の実施の形態に係るメダル遊技機のホルダ駆動機構を説明するために示す平面図。
【図１２】本発明の実施の形態に係るメダル遊技機の制御回路を説明するために示すブロック図。
【図１３】（ａ）から（ｃ）は、本発明の実施の形態に係るメダル遊技機のメダル投入装置を示す説明図である。
【符号の説明】
【００６１】
１…メダル遊技機、２…本体、２Ａ…基台部、２Ｂ…本体部、２ｂ…フィールド空間、３ゲーム実施機構、３Ａ…遊技面、３ａ…フィールド部、３Ｂ…メダル払戻孔、３Ｃ，３Ｄ…メダル回収孔、４…基部材、５…底面板、６…基部材、７…蓋部材、８…メダル払戻口、９…支柱、１０…透明板、１１…天井板、１１Ａ…貫通孔、１２…メダル投入装置、１２Ａ…メダルシュート、１２Ｂ…メダル投入部、１２Ｃ…支持部材、２０…メダル供給部、２１…ホッパ、２２…第１メダル供給装置、２３…第２メダル供給装置、３、２５…メダル供給路変更装置、２６…第１汲上樋、２７…第２汲上樋、２８…メダル収容固定箱、２８Ａ…底面台、２８ａ…第１底面、２９ｂ…第２底面、２８Ｂ…蓋体、２８ｃ…内部空間、２９…固定箱開閉機構、２９Ａ…駆動モータ、２９ａ…モータ軸、２９Ｂ…クランクアーム、２９ｂ…ピン挿通孔、２９Ｃ…伝達リンク、２９Ｄ…保持リンク、２９ｃ…ピン、３０…メダル供給樋３１…メダル受板、３１Ａ…受板エレメント、３２…円筒、３３…誘導パイプ、３４…メダルカウンタ、３５…第１ブラケット、３６…第２ブラケット、３７…連結ピン、３８…枢支ピン、３９，４０…センサ、４１，４２…メダル収容移動箱、４３…共通箱、４４〜４６…誘導樋、５０…ゲーム実行部、５１…ホルダ、５１Ａ…長孔、５２…メダル通過規制部材、５２Ａ…メダル通過口、５２Ｂ…従動側歯車、５３…メダル通過規制部材、５３Ａ…メダル通過口、５３Ｂ…従動側歯車、５４，５５…ディスプレイ、５６…回転反射体、５７…滑車、５８…ホルダ駆動機構、５８Ａ…駆動モータ、５８ａ…モータ軸、５８Ｂ…クランクアーム、５８ｂ…ピン、５９…回転駆動機構、６０…駆動モータ、６０Ａ…モータ軸、６１駆動側歯車、６２…共通歯車、６３…伝達歯車、６４…伝達歯車列、６４Ａ，６４Ｂ…伝達歯車、６５…照明装置、６６…回転駆動機構、６６Ａ…駆動モータ、６６ａ…モータ軸、６６Ｂ…駆動側プーリ、６６Ｃ…従動側プーリ、６６Ｄ…伝達ベルト、６７…第３ブラケット、６８…回転シャフト、６９，７０…軸受、８０…メダル回収部、９０…コントロール部、９１…コントローラ、９２…メモリ、９２Ａ…ＲＯＭ、９２Ｂ…ＲＡＭ、９３…メダル通過検出装置、１００…仕切部材、１００Ａ…第１貫通窓、１００Ｂ，１００Ｃ…メダル供給口、１０１…回収シュート、１０２…メダル回収箱、１２０…メダル通路、１２１…メダルカウンタ取付部、１２２…膨出形状部、１２３…背面部、１２４…メダル投入口、１２５…傾斜面、Ｍ…メダル
【図１】
2006061496.tif 000003
【図２】
2006061496.tif 000004
【図３】
2006061496.tif 000005
【図４】
2006061496.tif 000006
【図５】
2006061496.tif 000007
【図６】
2006061496.tif 000008
【図７】
2006061496.tif 000009
【図８】
2006061496.tif 000010
【図９】
2006061496.tif 000011
【図１０】
2006061496.tif 000012
【図１１】
2006061496.tif 000013
【図１２】
2006061496.tif 000014
【図１３】
2006061496.tif 000015